(57)【特許請求の範囲】
【請求項１】
テープ状記録媒体を収容し半導体メモリが設けられたカセットの前記テープ状記録媒体にビデオデータを記録するビデオデータ記録装置であって、
入力されるビデオデータの前記テープ状記録媒体への記録開始および記録終了の指示を入力する記録指示手段と、
前記入力された記録開始および記録終了の指示に基づいて、前記入力されるビデオデータを前記テープ状記録媒体に順次記録する入力ビデオデータ記録手段と、
前記入力されるビデオデータに対して、所望のビデオデータの入力が開始されたこと、および、所望のビデオデータの入力が終了されたことを通報するビデオデータ通報手段と、
前記所望のビデオデータの入力開始が通報された時を有効ビデオデータの開始位置として検出し、前記所望のビデオデータの入力終了が通報された時を前記有効ビデオデータの終了位置として検出し、該開始位置から終了位置までの間に入力された一連のビデオデータを、有効ビデオデータとして決定する有効ビデオデータ決定手段と、
前記決定された有効ビデオデータ各々より、当該有効ビデオデータを識別するための索引ビデオデータを抽出する索引ビデオデータ抽出手段と、
前記抽出された索引ビデオデータに基づいて、当該テープ状記録媒体に記録されている有効ビデオデータを検索するための検索用ビデオデータを生成する検索用ビデオデータ生成手段と、
前記生成された検索用ビデオデータを前記テープ状記録媒体に記録する検索用ビデオデータ記録手段と、
前記決定された有効ビデオデータの前記テープ状記録媒体における記録位置を示す情報を前記半導体メモリに記録する位置情報記録手段と
を有し、
前記位置情報記録手段は、前記有効ビデオデータ各々、および、前記検索用ビデオデータの、前記テープ状記録媒体における記録位置を示す情報を前記半導体メモリに記録する
ビデオデータ記録装置。
【請求項２】
前記有効ビデオデータ決定手段は、
前記記録指示手段における記録開始の指示が入力された時、および、前記ビデオデータ通報手段における所望のビデオデータの入力開始が通報された時を前記有効ビデオデータの開始位置として検出し、
前記記録指示手段における記録終了の指示が入力された時、および、前記ビデオデータ通報手段における所望のビデオデータの入力終了が通報された時を前記有効ビデオデータの終了位置として検出し、
前記有効ビデオデータを決定する
請求項１に記載のビデオデータ記録装置。
【請求項３】
前記有効ビデオデータ決定手段は、
前記有効ビデオデータの開始位置が検出された後で、該有効ビデオデータの終了位置が検出される前にさらに前記開始位置が検出された場合には、後から検出された前記開始位置を有効とし、
前記終了位置が検出された後で、前記開始位置が検出される前にさらに前記終了位置が検出された場合には、後から検出された前記終了位置を有効とし、
前記有効とされた開始位置および終了位置に基づいて前記有効ビデオデータを決定する
請求項１または２に記載のビデオデータ記録装置。
【請求項４】
前記有効ビデオデータ決定手段は、
前記検出された有効ビデオデータの開始位置および終了位置を各々所定時間前の位置に補正し、該補正された開始位置から終了位置までの間に入力された一連のビデオデータを、有効ビデオデータとして決定する
請求項１〜３のいずれかに記載のビデオデータ記録装置。
【請求項５】
前記検索用ビデオデータ記録手段は、前記入力ビデオデータの記録が終了された直後に、前記テープ状記録媒体の該記録が終了した入力ビデオデータに連続する領域に前記検索用ビデオデータを記録し、
前記入力ビデオデータ記録手段は、連続的に入力されるビデオデータ各々が前記テープ状記録媒体上に連続して記録されるように、前記検索用ビデオデータが記録されている領域より、該検索用ビデオデータを更新して次の入力ビデオデータを記録する
請求項１〜４いずれかに記載のビデオデータ記録装置。
【請求項６】
前記索引ビデオデータ抽出手段は、前記有効ビデオデータ各々より、所定の映像データを選択し、該選択した映像データを所定の比率で縮小することにより前記索引ビデオデータを抽出し、
前記検索用ビデオデータ生成手段は、前記有効ビデオデータ各々より抽出した前記索引ビデオデータが、１つの画面上に複数枚ずつ配置されるような前記検索用ビデオデータを生成する
請求項１〜５いずれかに記載のビデオデータ記録装置。
【請求項７】
請求項１〜６いずれかに記載のビデオデータ記録装置であって、
入力されたビデオデータが所望のビデオデータでない場合に撮影者がカットの指定の取り消しを通報するＮＧ操作手段
をさらに有し、
前記有効ビデオデータ決定手段は、前記有効ビデオデータの開始位置が検出された後で、遅くとも次の有効ビデオデータの開始位置が検出される前に、前記ＮＧ操作手段により前記入力されたビデオデータが前記所望のビデオデータではないという旨の通報を検出した場合には、前記検出された開始位置に対応する有効ビデオデータの指定を撤回する
ビデオデータ記録装置。
【請求項８】
請求項１〜７いずれかに記載のビデオデータ記録装置であって、撮像装置をさらに有するカメラ一体型のビデオデータ記録装置。
【請求項９】
前記記録指示手段と前記ビデオデータ通報手段は、撮影を行うために当該ビデオデータ記録装置を撮影者が保持した際に、該撮影者の指の移動のみで双方を操作可能な程度に近接した位置に設けられている
請求項８に記載のカメラ一体型のビデオデータ記録装置。
【発明の詳細な説明】
【０００１】
【発明の属する技術分野】
本発明は、記録したビデオデータの編集が効率よく行えるビデオデータ記録装置と、撮像装置をさらに有するカメラ一体型のビデオデータ記録装置に関する。
【０００２】
【従来の技術】
テレビカメラなどの撮像装置により撮影されたビデオデータは、その後編集作業を経て、１つの番組、あるいは、映画などにまとめられる場合が多い。たとえば、テレビジョン放送局においては、取材により撮影したビデオデータの中から、必要なカット（ある事象が適切に記録された編集対象のビデオデータ）を抽出して、所望のカットが連続したビデオデータを作成している。このような編集を効率よく行うためには、撮影したビデオデータよりカットの決定を適切に行うこと、および、そのカットを高速に検索できることが重要である。
【０００３】
ビデオデータの検索・編集を高速に行うことのできる方法としては、本願出願人に係わる特開平７−１５４７３１号公報および特開平７−１５４７４０号公報に開示されている方法がある。この方法では、撮影した映像データおよび音声データを記録媒体に記録する時に、それらのデータを圧縮したインデックス情報を生成し、そのインデックス情報を別の記録媒体、あるいは、同一の記録媒体の元のデータの記録領域に連続した領域に記録しておくようにしている。そして、そのインデックス情報を参照して編集データを作成することにより、元のデータに対する処理を省き、効率よく作業が行えるようにしている。
【０００４】
【発明が解決しようとする課題】
しかし、これまで用いられているテレビカメラや、ビデオカムコーダ（カメラ一体型ＶＴＲ装置）において、発生が予測できないような事象を撮影しようとする場合には、常時撮影を行っておき、その記録されたビデオデータよりその事象が適切に記録されたカットを抽出しなけらばならず、編集作業の効率が低下するという問題が生じた。
【０００５】
また、ビデオテープなどの記録媒体により長時間のビデオデータが記録できるようになったことにより、当然１つの記録媒体に記録できるカットの数も増加しており、より効率的に所望のカットを検索したいという要望が生じている。
そして特に、ビデオテープを収容するカセットにフラッシュメモリなどの半導体メモリ素子が組み込まれたビデオカセットにおいて、その半導体メモリを有効に使用して、記録ビデオデータの編集を効率よく行いたいという要望がある。
【０００６】
したがって本発明の目的は、カセットに半導体メモリが設けられたテープ状記録媒体に、適切にカット決めを行いながら、その半導体メモリを有効に使用して編集が効率的に行えるようにビデオデータを記録するビデオデータ記録装置を提供することにある。
また本発明の目的は、そのようなビデオデータ記録装置であって、撮像装置をさらに有するカメラ一体型のビデオデータ記録装置を提供することにある。
【０００７】
【課題を解決するための手段】
前記課題を解決するために、記録されているビデオデータに対して、所望のビデオデータの開始位置および終了位置を使用者がマーキングできるようにした。そして、そのマークされた各カットより、インデックスピクチャを抽出するとともに、各カットおよびインデックスピクチャのテープ記録媒体上の記録位置を半導体メモリに記録するようにした。
【０００８】
本発明の第１の観点によれば、テープ状記録媒体を収容し半導体メモリが設けられたカセットの前記テープ状記録媒体にビデオデータを記録するビデオデータ記録装置であって、
入力されるビデオデータの前記テープ状記録媒体への記録開始および記録終了の指示を入力する記録指示手段と、前記入力された記録開始および記録終了の指示に基づいて、前記入力されるビデオデータを前記テープ状記録媒体に順次記録する入力ビデオデータ記録手段と、前記入力されるビデオデータに対して、所望のビデオデータの入力が開始されたこと、および、所望のビデオデータの入力が終了されたことを通報するビデオデータ通報手段と、前記所望のビデオデータの入力開始が通報された時を有効ビデオデータの開始位置として検出し、前記所望のビデオデータの入力終了が通報された時を前記有効ビデオデータの終了位置として検出し、該開始位置から終了位置までの間に入力された一連のビデオデータを、有効ビデオデータとして決定する有効ビデオデータ決定手段と、前記決定された有効ビデオデータ各々より、当該有効ビデオデータを識別するための索引ビデオデータを抽出する索引ビデオデータ抽出手段と、前記抽出された索引ビデオデータに基づいて、当該テープ状記録媒体に記録されている有効ビデオデータを検索するための検索用ビデオデータを生成する検索用ビデオデータ生成手段と、前記生成された検索用ビデオデータを前記テープ状記録媒体に記録する検索用ビデオデータ記録手段と、前記決定された有効ビデオデータの前記テープ状記録媒体における記録位置を示す情報を前記半導体メモリに記録する位置情報記録手段とを有し、
前記位置情報記録手段は、前記有効ビデオデータ各々、および、前記検索用ビデオデータの、前記テープ状記録媒体における記録位置を示す情報を前記半導体メモリに記録する、ビデオデータ記録装置が提供される。
【０００９】
好ましくは、前記有効ビデオデータ決定手段は、前記記録指示手段における記録開始の指示が入力された時、および、前記ビデオデータ通報手段における所望のビデオデータの入力開始が通報された時を前記有効ビデオデータの開始位置として検出し、前記記録指示手段における記録終了の指示が入力された時、および、前記ビデオデータ通報手段における所望のビデオデータの入力終了が通報された時を前記有効ビデオデータの終了位置として検出し、前記有効ビデオデータを決定する。
【００１０】
また好ましくは、前記有効ビデオデータ決定手段は、前記有効ビデオデータの開始位置が検出された後で、該有効ビデオデータの終了位置が検出される前にさらに前記開始位置が検出された場合には、後から検出された前記開始位置を有効とし、前記終了位置が検出された後で、前記開始位置が検出される前にさらに前記終了位置が検出された場合には、後から検出された前記終了位置を有効とし、前記有効とされた開始位置および終了位置に基づいて前記有効ビデオデータを決定する。
【００１１】
また好ましくは、前記有効ビデオデータ決定手段は、前記検出された有効ビデオデータの開始位置および終了位置を各々所定時間前の位置に補正し、該補正された開始位置から終了位置までの間に入力された一連のビデオデータを、有効ビデオデータとして決定する。
【００１２】
好ましくは、前記検索用ビデオデータ記録手段は、前記入力ビデオデータの記録が終了された直後に、前記テープ状記録媒体の該記録が終了した入力ビデオデータに連続する領域に前記検索用ビデオデータを記録し、前記入力ビデオデータ記録手段は、連続的に入力されるビデオデータ各々が前記テープ状記録媒体上に連続して記録されるように、前記検索用ビデオデータが記録されている領域より、該検索用ビデオデータを更新して次の入力ビデオデータを記録する。
【００１３】
好ましくは、前記索引ビデオデータ抽出手段は、前記有効ビデオデータ各々より、所定の映像データを選択し、該選択した映像データを所定の比率で縮小することにより前記索引ビデオデータを抽出し、前記検索用ビデオデータ生成手段は、前記有効ビデオデータ各々より抽出した前記索引ビデオデータが、１つの画面上に複数枚ずつ配置されるような前記検索用ビデオデータを生成する。
【００１４】
好ましくは、当該ビデオデータ記録装置は、入力されたビデオデータが所望のビデオデータではない場合に撮影者がカットの指定の取り消しを通報するＮＧ操作手段をさらに有し、前記有効ビデオデータ決定手段は、前記有効ビデオデータの開始位置が検出された後で、遅くとも次の有効ビデオデータの開始位置が検出される前に、前記ＮＧ操作手段により前記入力されたビデオデータが前記所望のビデオデータではないという旨の通報を検出した場合には、前記検出された開始位置に対応する有効ビデオデータの指定を撤回する。
【００１５】
また本発明によれば、上記ビデオデータ記録装置であって、撮像装置をさらに有するカメラ一体型のビデオデータ記録装置が提供される。
。
【００１６】
好ましくは、前記記録指示手段と前記ビデオデータ通報手段は、撮影を行うために当該ビデオデータ記録装置を撮影者が保持した際に、該撮影者の指の移動のみで双方を操作可能な程度に近接した位置に設けられている。
【００１８】
【発明の実施の形態】
本発明の一実施の形態について、図１〜図７を参照して説明する。
図１は、本発明の一実施の形態のビデオデータ記録装置の構成を示すブロック図である。
デジタルカムコーダ１は、主な構成部としてカメラ部１０、圧縮部３０、誤り訂正符号付与部５０、記録部６０、インデックス画像生成部７０、および、操作／表示部８４を有し、撮影して得られたビデオデータを圧縮して、半導体メモリ内蔵のビデオカセットテープに記録するカメラ一体型デジタルビデオテープレコーダ（以後、デジタルカムコーダと言う）である。
【００１９】
本発明の記録媒体に係わり、そのビデオデータを記録するビデオカセットテープの外観図を図２に示す。
まず、デジタルカムコーダ１にセットして用いられるこのビデオカセットテープ９０について図１および図２を参照して説明する。
図２に示すように、ビデオカセットテープ９０は内部に１／４インチのビデオテープ９１が収容されており、現行のテレビジョン信号であれば最大で４時間３０分の信号を記録可能である。このビデオカセットテープ９０をデジタルカムコーダ１にセットすると、カセットケース９３の前面に設けられている蓋９５が開き、この部分よりビデオテープ９１が引き出されてデジタルカムコーダ１内の図示せぬ回転ヘッドに巻き付けられ、信号の記録・再生が行われる。
【００２０】
また、ビデオカセットテープ９０には、カセットケース９３の内部にＭＩＣ(Memory In Chip)と言われるフラッシュメモリ９２が収容されている。そして、ビデオカセットテープ９０の背面部の誤消去防止用ツメ９６の近傍に、４本の電極からなる端子９４が設けられており、この端子９４を介してフラッシュメモリ９２に対してデータの書き込み、および、読み出しが行われる。この４本の端子は、具体的には、各々接地、電源、クロック、データの端子である。
このフラッシュメモリ９２には、５バイトのデータパックを単位としてデータの書き込みおよび読み出しが行われ、基本的なデータとして記録されるテープ厚、テープの種類、テープの品種などのデータ以外は、任意のデータの記憶に用いることができる。なお、本発明に係わるデータの形式および書き込み／読み出し動作については後述する。
【００２１】
次に、デジタルカムコーダ１の構成について図１を参照して説明する。
カメラ部１０は、ＣＣＤ１１、カメラ処理部１２、および、それらを制御する制御部１３を有し、全体制御部８１からの制御信号に基づいて、ＣＣＤ１１により撮像した信号をテレビジョン信号に変換してフィルタ部２１に出力する。
フィルタ部２１は、カメラ部１０より入力されたビデオ信号を４：２：２方式から４：１：１方式に変換するなどの処理を行うフィルタ部であり、変換されたビデオ信号はブロック分割部２２に出力される。
ブロック分割部２２は、フィルタ部２１より入力されたビデオ信号、および、後述するインデックス画像生成部７０より入力されたインデックス画像の信号の各フレームを８×８のマクロブロックに分割して圧縮部３０に出力する。
【００２２】
圧縮部３０は、ＤＣＴ部３１、動き検出部３２、並べ替え部３３、量子化部３４、および、符号量推定部３５を有し、ブロック分割部２２より入力されたビデオ信号をＤＣＴ符号化し、さらに量子化して可変長符号化部４０に出力する。圧縮部３０においては、ブロック分割部２２より入力された８×８のマクロブロックごとのビデオ信号に対して、動き検出部３２で動き検出を行い、ＤＣＴ部３１でＤＣＴ変換を行い、並べ替え部３３でそのＤＣ成分が所定の位置になるように得られた要素を周波数順に並べ替える。そして、その結果に基づいて、符号量推定部３５において符号量を推定し、その推定値に基づいて量子化レベルを決定して量子化部３４において適応量子化を行う。
【００２３】
可変長符号化部４０は、圧縮部３０より入力される圧縮されさらに量子化されたビデオ信号を可変長符号化して生成した符号データを誤り訂正符号付与部５０に出力する。本実施の形態においては、可変長符号化部４０においては２次元ハフマン符号化を行う。
【００２４】
誤り訂正符号付与部５０は、可変長符号化部４０より入力される符号データに対して、パリティを付加して記録データを生成し、記録部６０に出力する。本実施の形態においては、誤り訂正符号付与部５０は誤り訂正ブロックを２次元構成にしたリード・ソロモン積符号を用いる。具体的には、誤り訂正符号付与部５０はシャッフリング部５１およびエラー訂正符号付与部５２とを有し、入力された符号データに対してまずエラー訂正符号付与部５２において外符号パリティを付加し、シャッフリング部５１でシャッフリングをした後同期信号およびＩＤ符号を付加して、再びエラー訂正符号付与部５２においてさらに内符号パリティを付加する。
【００２５】
記録部６０は、チャネルコーディング部６１、記録アンプ６２、および、記録ヘッド６３を有し、誤り訂正符号付与部５０より入力された記録データを、チャネルコーディング部６１でビデオテープ９１の磁気記録特性に適合したデジタルビット系列に変換し、記録アンプ６２で増幅して記録ヘッド６３に印加し、ビデオテープ９１の所定の位置に記録する。
【００２６】
インデックス画像生成部７０は、圧縮部３０より入力されるビデオ信号より、操作／表示部８４を介して撮影者によりその範囲が各々決定される所望の事象が撮影された一連のビデオデータ（以後、カットと言う）ごとの、そのカットの内容を検索するのに適した索引画像を抽出し、さらに、複数のカットについて抽出されたその索引画像を用いてインデックス画像（インデックスピクチャという場合もある）を生成し、各カットのビデオデータが記録された後にビデオテープ９１に記録されるように、所定のタイミングで適宜ブロック分割部２２に出力する。
インデックス画像生成部７０は、制御部７１、サンプリング部７２、タイミングパルス生成部７３、ＲＯＭ７４、ＳＲＡＭ７５、ＳＲＡＭアドレスコントローラ７６、フレームメモリ７７、および、フレームメモリアドレスコントローラ７８を有する。
【００２７】
制御部７１は、全体制御部８１からの制御信号に基づいてインデックス画像生成部７０を構成する各部を制御する。特に、操作／表示部８４により撮影者によりその範囲が決定された各カットごとに、索引画像を抽出するように、各部を制御する。制御部７１の具体的制御内容については、後述する各部の説明時に同時に説明する。
サンプリング部７２は、タイミングパルス生成部７３から入力されるパルスに基づいて所定のタイミングで、圧縮部３０の並べ替え部３３より並べ替えられたＤＣＴ結果の係数を読み込み、そのＤＣ成分を抽出してＲＯＭ７４に出力する。
タイミングパルス生成部７３は、各カットの最初の映像データよりインデックス画像に用いる画像を抽出するように、サンプリング部７２に対してパルスを生成する。なお、各カットの区切りの信号は、撮影者により決定され、全体制御部８１を介してタイミングパルス生成部７３に入力される。
ＲＯＭ７４は、サンプリング部７２から入力される９ビットのＤＣ成分のデータを、８ビットに変換し、ＳＲＡＭ７５に出力する。
【００２８】
ＳＲＡＭ７５は、ＳＲＡＭアドレスコントローラ７６によりそのアドレスが制御され、さらに制御部７１によりデータの書き込み／読み出しタイミングが制御されており、ＲＯＭ７４から入力される各マクロブロック当り１つのデータを順次記憶し、最終的に各カットの最初の映像データに対応する画像を格納する。前述したように、サンプリング部７２においては、８×８のマクロブロックごとに１つのＤＣ成分をその画素値として順次出力するので、ＳＲＡＭ７５に最終的に格納される前記画像は、元の映像データを縦横各々個１／８に縮小した画像となる。
ＳＲＡＭアドレスコントローラ７６は、制御部７１からの制御信号に基づいて、ＲＯＭ７４よりＳＲＡＭ７５に順次入力される画素データが、ＳＲＡＭ７５において１枚の画像を形成するようにＳＲＡＭ７５に記憶されるように、ＳＲＡＭ７５のアドレスを制御する。
【００２９】
フレームメモリ７７は、映像データのフレームに対応してデータを記憶可能なメモリであり、本実施の形態のフレームメモリ７７は７フレーム分の映像データ記憶できる容量を有する。フレームメモリ７７は、フレームメモリアドレスコントローラ７８よりそのアドレスが制御され、制御部７１から入力される制御信号に基づいて、ＳＲＡＭ７５内に順次形成される各カットごとの画像を順次記憶する。なお、ＳＲＡＭ７５に記憶される画像は、元の映像データを縦横各々１／８、すなわち、面積を１／６４に縮小した画像なので、フレームメモリ７７の１枚のフレームメモリに６４個の画像を格納することができる。
【００３０】
フレームメモリアドレスコントローラ７８は、制御部７１からの制御信号に基づいて、ＳＲＡＭ７５からフレームメモリ７７に入力される画像データが前述したような位置に適切に格納されるように、フレームメモリ７７のアドレスを制御する。
【００３１】
タイムコード生成部８２は、信号の記録位置などを示す指標となるタイムコードを生成し、全体制御部８１に出力する計時手段である。なお、出力される時間は、絶対時刻か、ビデオカセットテープ９０の着脱や撮影者のリセットボタンの押下などによりリセットされる相対的な時間であり、その選択は任意である。
テープ制御部８３は、全体制御部８１からの制御信号に基づいて、入力されたビデオ信号あるいは、インデックス画像生成部７０で生成されたインデックス画像の信号を、ビデオテープ９１の任意の位置に記録できるように、ビデオカセットテープ９０のビデオテープ９１のテープ走行を精度よく制御する。
【００３２】
操作／表示部８４は、撮影者がデジタルカムコーダ１に対して、カメラの撮像条件の制御や、記録開始、記録終了、マーキングなどの指示を入力したり、撮影者に対して、デジタルカムコーダ１の動作状態などを知らせたりするユーザインターフェイス部分である。
そして特に、本実施の形態のデジタルカムコーダ１においては、記録の開始、終了、カットの指定、および、そのカットの指定の取消（ＮＧ）などの入力が、この操作／表示部８４を介して行われる。
操作／表示部８４による記録の開始および終了の指示は、実際にビデオテープ９１に入力されたビデオデータを記録するか否かの指示である。
【００３３】
操作／表示部８４によるカットの指定は、所望のビデオデータが記録された場合にそのビデオデータをカットとして指定するための操作である。順次入力されているビデオデータにおいて，所望の事象が始まったら、撮影者はそこからがその所望のビデオデータの始まり，すなわち，カットの始まりであるとの旨を通報するための操作を操作／表示部８４を用いて行う。この操作をマークインと言う。また、撮影者は、マークインしたビデオデータにおいて、その所望のビデオデータが終了したとの旨の通報をするための操作を操作／表示部８４を用いて行う。この操作がマークアウトである。このマークインおよびマークアウトを行うことにより、撮影者は順次撮影されているビデオデータに対して、カットの指定を操作／表示部８４を用いて行っていく。
また、一度カットの指定を行ったビデオデータが、所望のビデオデータでなかった場合に、操作／表示部８４を介して、そのカットの指定の取消を行うのがＮＧの操作である。
【００３４】
操作／表示部８４の本発明に係わるこれらの各操作部の、デジタルカムコーダ１における実際の配置を、図３および図４を参照して説明する。
図３は、デジタルカムコーダ１を前面から見た図、図４は、デジタルカムコーダ１の先頭部を側面から見た図である。なお、図３はデジタルカムコーダ１にレンズ部分が装着されていない状態を示し、図４は、デジタルカムコーダ１をショルダータイプとして使用する場合のズームレンズが装着されている状態を示す図である。
すなわち、図３は図１に示したデジタルカムコーダの操作／表示部８４を説明するために、レンズ部の装着されていないデジタルカムコーダを前面から見た図である。また、図４は図１に示したデジタルカムコーダの操作／表示部８４を説明するために、ズームレンズの装着されているデジタルカムコーダの先頭部を側面から見た図である。
図３および図４に示されるように、デジタルカムコーダ１にはその外面の各部に種々のボタン、ツマミなどの操作具類が配置されており、それらにより操作／表示部８４が構成されている。
【００３５】
このようなデジタルカムコーダ１において、本体２の前下面に設けられている操作パネル中に（操作／表示部８４部分に）、記録の開始／終了の指示を行うＲＥＣボタン８５およびカットの指定を行うマークイン／アウトボタン８６は設けられている。本実施の形態においては、操作／表示部８４部分における、これらのＲＥＣボタン８５およびマークＩＮ／ＯＵＴボタン８６は、トグルスイッチであり、記録中、あるいは、カット指定中であることが判るようになっている。また、そのマークイン／アウトボタン８６の近傍の、本体２の側面部に、カットの指定の取消を行うＮＧボタン８７が設けられている。このように、これらのボタンは、撮影者の片方の手の指で押下可能な範囲に近接して設けられているため、記録の開始／終了、マークイン／アウト，およびカットの指定の取消を行うＮＧの指定が撮影者の判断に基づいて瞬時の内に、容易に行える。
【００３６】
なお、図示した各ボタン８５〜８７は、デジタルカムコーダ１を三脚などに設置して使用する場合に主に用いるボタンであり、たとえば、図４に示すようにショルダータイプとして用いる場合には、ズームレンズ３に別途設けられている同様のボタンを通常は用いる。ズームレンズ３には、図示せぬがそのための同様のボタンが、手動ズームレバーの近傍に設けられている。
【００３７】
全体制御部８１は、デジタルカムコーダ１が所望の動作をするようにデジタルカムコーダ１を構成する各部を制御する。たとえば、操作／表示部８４を介して撮影者が入力したカメラコントロール、ビデオデータの記録開始／終了などの指示に基づいて、カメラ部１０に対するカメラの制御、カメラ部１０からのビデオ信号の生成・出力、圧縮部３０以下の信号処理系に対する動作の制御、テープ制御部８３に対するビデオテープの駆動の制御、操作／表示部８４に対する動作状況・処理結果の表示などを行う。
【００３８】
特に、本発明に係わる動作としては、撮影者が操作／表示部８４を介して入力したビデオデータの記録開始／終了の操作に基づいて、入力されるビデオデータがビデオカセットテープ９０のビデオテープ９１に順次記録されるように、デジタルカムコーダ１の各部を制御する。
また、撮影者が操作／表示部８４におけるマークイン／アウトボタン８６を介して入力したマークインおよびマークアウトの操作に基づいて、カットの位置を決定し、その記録位置の情報をビデオカセットテープ９０のフラッシュメモリ９２に記録するとともに、そのカットごとに索引画像を抽出するようにインデックス画像生成部７０を制御する。
【００３９】
また，撮影者が操作／表示部８４におけるＮＧボタン８７を介して入力したカットの指定の取消を行うＮＧの操作に基づいて、そのＮＧの操作が行われた時に示している所定のカットを、カットとしての指定から解除する。すなわち、マークインあるいはマークアウトした際にフラッシュメモリ９２に記録されたそのビデオデータの記録位置の情報を消去し、また、そのカットから抽出されてＳＲＡＭ７５またはフレームメモリ７７に記録されている索引画像を消去する。なお、本実施の形態においては、ＮＧボタンが押下される前の最後にマークインされたカットに対して、そのカットを無効にするこのＮＧの操作による処理が適用されるものとする。
【００４０】
また、全体制御部８１は、一連の撮影が行われて、ビデオデータの記録が終了されたら、その一連のビデオデータの中で新たに記録されたカットとともに、そのビデオカセットテープ９０に記録されている全カットの、インデックス画像生成部７０で生成されたそのカットに対するインデックス画像をインデックス画像生成部７０からブロック分割部２２に出力してそのインデックス画像をビデオカセットテープ９０に記録するように、デジタルカムコーダ１の各部を制御する。そして、さらにその際に、それらのカットおよびインデックス画像が記録されているビデオテープ９１上の位置を、ビデオカセットテープ９０のフラッシュメモリ９２に記録する。
【００４１】
このビデオデータの記録位置を示すデータの、ビデオカセットテープ９０のフラッシュメモリ９２へのデータの入出力は、前述したように５バイトごとのデータパックを単位として行われる。そのデータパックについて図５を参照して説明する。
図５は、デジタルカムコーダ１により、ビデオカセットテープ９０のフラッシュメモリ９２に記録される記録データの位置を示すデータのデータパックの構成を示す図であり、（Ａ）は、カットのイン点およびアウト点の位置を示すデータパックの構成を示す図、（Ｂ）はインデックス画像の位置を示すデータパックの構成を示す図である。
【００４２】
まず、各データパックとも第１バイトはヘッダとなっており、これらの各データパックの種類を識別するコードが記録されている。図５に示す各データパックは、全てビデオテープ９１に記録されたビデオデータの位置を示すデータのデータパックなので、このヘッダにはコードＦＤｈが記録されている。
次に、これらビデオデータの位置を示すデータパックにおいては、第２バイトのビット７（ｂ2 ）、ビット６（ｂ1 ）、および、第３バイトのビット７（ｂ0 ）の３ビットによりサブヘッダが構成されている。このサブヘッダにより、各データパックのデータ内容が識別され、それに応じてそのデータフォーマットも判別できる。サブヘッダとデータ内容の対応を表１に示す。
【００４３】
【表１】
0003772374.tif 000002
【００４４】
以下、各データパックの構成について説明する。なお、図５において、定義が示されていないビットは、リザーブ領域である。
図５（Ａ）に示すピクチャクリップ１およびピクチャクリップ２は、ビデオテープ９１に記録された各カットのビデオデータの識別情報、および、その記録位置の情報を記録するためのデータパックである。
【００４５】
そのカットの識別情報は、ピクチャクリップ１の第２バイット〜第４バイトに記録され、具体的には、撮影者が操作／表示部８４を介して入力する、そのシーンのシーン番号、テイク番号、および、そのカットがＯＫかＮＧかを識別するデータなどが記録される。
そのカットのビデオデータを記録したフラッシュメモリ９２上の記録領域の先頭位置を示す情報は、ピクチャクリップ２の第２バイト〜第４バイトに記録される。本実施の形態においては、その記録位置はビデオテープ９１上での記録時間により示され、第２バイトに時間、第３バイトに分、第４バイトに秒が記録される。なお、このビデオデータの記録の開始は、撮影者がデジタルカムコーダ１を操作して行う指示により決定されるものなので、秒単位で管理できればよく、フレーム単位で管理しなくとも十分である。
【００４６】
また、そのカットの記録領域の終了位置を示す情報は、先頭位置からの相対値で示される。すなわち、そのカットの記録領域の終了位置が、先頭位置から何秒後、あるいは、何フレーム目の位置にあるかということが、その終了位置の情報として記録される。この終了位置を示す情報は、ピクチャクリップ１の第５バイトおよびピクチャクリップ２の第５バイトに記録される。この終了位置は、秒を単位として決定しても、フレームを単位として決定してもよい。記録ビット幅が１６ビットなので、秒を単位とした相対値を用いた場合には１８時間、フレームを単位とした相対値を用いた場合には約３６分のカットに対して対処することができる。記録するビデオデータの種類や、編集時に必要な精度などに応じて、任意の単位を基準としてこの終了位置を示すようにしてよい。
【００４７】
図５（Ｂ）に示すピクチャクリップアドレスは、ビデオテープ９１に記録されたインデックスピクチャの記録位置の情報を示すデータパックである。本実施の形態においては、その記録位置は各インデックスピクチャのフレームごとに示される。すなわち、第２バイトに時間、第３バイトに分、第４バイトに秒、第５バイトにその秒内のフレーム番号が記録される。
【００４８】
ビデオテープ９１に記録されたビデオデータの記録位置に関する情報としては、このようなデータパックが全体制御部８１により生成されて、ビデオカセットテープ９０のフラッシュメモリ９２に生成とともに適宜記録される。
【００４９】
次に、デジタルカムコーダ１の動作について図６および図７を参照して説明する。
図６は、デジタルカムコーダ１のインデックス画像生成部７０におけるインデックス画像の生成方法を説明する図である。
図７は、デジタルカムコーダ１の動作を説明するための図である。
なお、本実施の形態においては、テレビジョン放送局などにおける取材にこのデジタルカムコーダ１を使用したような場合であって、常にビデオ撮影を行いながら、撮影者の判断により所望のシーンのビデオデータを逐次必要なカットとして選択していく場合についてその動作を説明する。
【００５０】
まず、時刻ｔ１で撮影者がデジタルカムコーダ１によりとらえている映像および音声データを記録しようとした場合、デジタルカムコーダ１の操作／表示部８４のＲＥＣボタン８５を押下することによりその指示を行う。操作／表示部８４に入力されたその記録開始の指示は全体制御部８１に入力され、全体制御部８１よりビデオデータの記録のための制御が各部に対して行われる。
【００５１】
カメラ部１０においては、全体制御部８１からの制御信号に基づいて、ＣＣＤ１１で獲得した信号をビデオデータとして出力する。フィルタ部２１で方式を調整した後、ブロック分割部２２で各フィールドごとのビデオデータをマクロブロックに分割し、圧縮部３０においてＤＣＴ符号化をして圧縮する。圧縮されたビデオデータは可変長符号化部４０で符号化され、誤り訂正符号付与部５０で誤り訂正符号が付加され、記録部６０で記録信号に変換される。
そして、同時に、そのビデオデータを記録すべきビデオテープ９１の記録領域に記録ヘッド６３から信号が印加されるように、全体制御部８１からの制御信号に基づいてテープ制御部８３がビデオテープ９１の位置を制御する。そして、順次入力されるビデオデータが、記録部６０の記録ヘッド６３によりビデオテープ９１の所定の記録領域に順次記録される。
【００５２】
ビデオ撮影中であって所望のシーンが得られた時刻ｔ２に、撮影者がマークイン／アウトボタン８６ボタンを押下すると、その時以降に入力されるビデオデータが所望のビデオデータ、すなわち、カットとして後に使用する可能性の高いビデオデータである旨が入力される。操作／表示部８４を介して、マークインの信号が入力されたら、全体制御部８１はタイムコード生成部８２よりタイムコードを読み込み、図５（Ａ）に示すようなデータパックを生成し、このカットの記録開始のビデオテープ９１上の位置の情報を、ビデオカセットテープ９０のフラッシュメモリ９２に記録する。また、全体制御部８１は、インデックス画像生成部７０にそのカットからの索引画像ＩＰ１の抽出を行わせる。
【００５３】
インデックス画像生成部７０においては、入力され始めたカットの最初の映像データより、そのカットを識別するための縮小画像ＩＰ１を抽出し、さらに他のカットの縮小画像と合わせて１つのフレーム上に配置してインデックス画像を生成する。
図６に示すように、カメラ部１０から入力されるその最初のフィールドの映像データ１０１は、ブロック分割部２２において８×８画素ごとのマクロブロック１０２に分割され、このマクロブロック１０２ごとにＤＣＴ部３１においてＤＣＴ変換される。そして、そのＤＣＴの結果は、並べ替え部３３においてそのＤＣ成分が最初にくるようなデータ１０３に並び替えられる。このＤＣ成分を、インデックス画像生成部７０のサンプリング部７２が抽出する。
【００５４】
サンプリング部７２は、その最初の映像データ１０１の各マクロブロックからこのＤＣ成分を抽出し、ＲＯＭ７４を介してＳＲＡＭ７５に順次入力する。その結果、ＳＲＡＭ７５上において、図６に示すような縮小画像１０４が形成される。
入力され始めたビデオデータの最初の画像データより、縮小画像１０４が抽出されたら、この縮小画像をフレームメモリ７７の所定の位置に配置する。縮小画像１０４は、８×８のマクロブロックを１画素に縮小した画像、すなわち、元のフレームを１／６４に縮小した画像なので、このような縮小画像６４個を１つのフレームに配置することができる。たとえば、図６に示すように、最初に記録したカットから得られた縮小画像１０４は、たとえばフレームメモリ７７の左上の領域に配置される。
【００５５】
このカットの撮影中であって、その期待したシーンが終了した場合に（時刻ｔ３）、撮影者はマークイン／アウトボタン８６を再び押下する。その結果、全体制御部８１は、フラッシュメモリ９２に既に記録されている図５（Ａ）に示すようなそのカットの位置を示す情報を読み出し、その２つのデータパックの各々第５バイトにそのカットのデータの終了位置を示すデータをセットし、再びフラッシュメモリ９２に記録する。なお、この終了位置は、先に記録した先頭位置からの相対位置で示される。
マークイン／アウトボタン８６が押下されても、ビデオデータの記録は続けられているので（時刻ｔ３〜ｔ４）、その他の動作は特に行われず、次の操作が待機される。
この状態で、マークイン／アウトボタン８６が押下された場合には（時刻ｔ４）、前述したのと同様に、その新たなカットに対するタイムコードの記されたデータパックがフラッシュメモリ９２に記録されるとともに、インデックス画像生成部７０において索引画像ＩＰ２が抽出される。
【００５６】
また、任意の時間にＮＧボタン８７が押下された場合には、そのＮＧボタンが押下される前にマークインされたカットに対してそのカットとしての選択を無効にする。図７に示す例においては、時刻ｔ２〜時刻ｔ４の間にＮＧボタン８７が押下された場合には時刻ｔ２〜時刻ｔ３の間に得られた第１のカットが、時刻ｔ４〜時刻ｔ６の間にＮＧボタン８７が押下された場合には時刻ｔ４〜時刻ｔ５の間に得られた第２のカットが、時刻ｔ６以降にＮＧボタン８７が押下された場合には時刻ｔ６〜時刻ｔ７の間に得られた第３のカットが各々消去される。
本実施の形態においては、フラッシュメモリ９２に記録されているそのカットの位置情報を示すデータパックを消去し、ＳＲＡＭ７５またはフレームメモリ７７に記録されているそのカットの索引画像を消去する。なお、まだカットの終了が指示されていない場合で入力中のビデオデータが所望のカットのデータとして記録されていた場合には、そのビデオデータに対するそのカットの指定を解除する。
【００５７】
このようにして、逐次カットが選択されながら順次記録されているビデオデータは、ＲＥＣボタン８５が再び押下されるとその記録が停止される（時刻ｔ７）。図７に示すように、カットの指定が解除されていない時にＲＥＣボタン８５が押下されて記録終了の指示が行われた場合には、これによりまずカット終了の処理を行った後に、ビデオデータの記録を終了する。記録終了の指示は全体制御部８１に入力され、全体制御部８１よりビデオデータの記録のための制御が各部に対して行われる。その結果、カメラ部１０からのビデオ信号の出力は終了され、そのビデオデータの記録は終了される。そして、そのビデオデータの信号に続いて、インデックス画像生成部７０で生成されたインデックス画像がビデオテープ９１に記録される。
【００５８】
具体的には、ビデオインデックス画像生成部７０のフレームメモリ７７に記録されるインデックス画像が、ブロック分割部２２に入力され、圧縮部３０において圧縮され、可変長符号化部４０で可変長符号化され、誤り訂正符号付与部５０でエラー訂正符号が付与されて、記録部６０を介してビデオテープ９１に記録される。この時、このインデックス画像は、そのビデオカセットテープ９０に連続的に記録されている全てのビデオデータの最後であって、そのビデオデータに連続した記録領域に記録される。
なお、このインデックス画像は、それまでビデオカセットテープ９０に順次記録された各カットの縮小画像が全て配列された画像である。
【００５９】
またこの時、全体制御部８１は、図５（Ｂ）に示すような、そのインデックス画像の記録位置を示すデータパックを生成して、フラッシュメモリ９２に記録する。
【００６０】
次に、撮影者により再びビデオデータの記録が指示されたら、全体制御部８１は前述したのと同様の動作を行って順次そのビデオデータをビデオテープ９１に記録する。この時に、全体制御部８１は、前のビデオデータの記録領域に連続して新たなビデオデータを記録するように、テープ制御部８３に対してビデオテープ９１の位置を制御する。すなわち、前のビデオデータの後に記録されているインデックス画像は更新して、その上に新たなビデオデータを記録する。そのため具体的には、テープ制御部８３はビデオテープ９１を僅かに巻き戻すことになる。
【００６１】
以上説明したように、本実施の形態のデジタルカムコーダ１においては、所望の事象が起こった時に、撮影者が、ＲＥＣボタン８５の近傍に設けられているマークイン／アウトボタン８６を操作することにより、そのシーンをカットとして選択することができる。このカットの選択は、ビデオデータの記録とは別の操作であり、そのカットの前後のビデオデータも記録されているので、所望のシーンを逃すことなく記録することができる。
【００６２】
このカットについては、その先頭位置および終了位置がビデオカセットテープ９０のフラッシュメモリ９２に記録され、各カットの先頭の映像データを縮小してフレーム上に複数枚順次配列したインデックス画像が生成されて記録され、さらにこのインデックス画像の記録位置もフラッシュメモリ９２に記録される。
したがって、編集を行う場合には、フラッシュメモリ９２に記録されているインデックス画像の位置情報に基づいて、そのインデックス画像を高速に読み出し、各カットの内容を一覧表示させて確認し、それにより選択した各カットを同じくフラッシュメモリ９２に記録されている各カットの位置情報に基づいて高速に読み出すことができる。
【００６３】
なお、本発明は、本実施の形態に限られるものではなく、種々の改変が可能である。
たとえば、本実施の形態のデジタルカムコーダ１においては、ＲＥＣボタン８５を押下して記録を開始した時には、初期状態として、そのビデオデータは有効なビデオデータである、すなわち、カットであるとの指定がされていない状態で記録されていた。しかし、ＲＥＣボタン８５がマークイン／アウトボタン８６の機能を兼ねるような構成にしておき、ビデオデータの記録を開始した時には直ちに第１のカットとして処理するようにしてもよい。
また逆に、記録を終了する時は、本実施の形態においては、カットの指定が終了されていない状態で記録を終了すると、その時点でカットも終了するものとした。しかし、完全にＲＥＣボタン８５とマークイン／アウトボタン８６の機能を分離し、カットの指定が未終了でＲＥＣボタン８５が押下された場合には、そのカットを廃棄するような動作にしてもよい。
【００６４】
また、本実施の形態においては、マークイン／アウトボタン８６を押下したその時点を、カットの開始および終了の時とした。ビデオデータの記録は、カットの指定の有無に関わらず続けられているので、目的とする事象が発生した瞬間にマークイン／アウトボタン８６を押下したとしても、編集時に実際に指定したカットより前後方向に多少長めにカットを選択すれば、その事象が適切に記録されたカットが抽出できる。しかし、たとえばデジタルカムコーダ１において、マークイン／アウトボタン８６が押下された所定時間前の時間を予めカットの始まりとして記録するようにしておけば、編集時にカットの調整の操作を何ら行う必要がなくなり好適である。同様に、カットの終了位置においては、対象とする事象に応じて、マークイン／アウトボタン８６が押下された時点より、所定時間前あるいは後の時間をそのカットの終了位置とすればよい。
【００６５】
また、デジタルカムコーダ１においては、マークイン／アウトボタン８６により、マークイン／マークアウトの両方の動作を指定する。すなわち、最初に押下するマークインと、マークイン／アウトボタン８６を再び押下するマークアウトの対の動作によりカットを指定して行く。しかし、たとえば、マークインのボタンと、マークアウトを指定するボタンが異なるような構成にしてもよい。その場合においても、通常はマークインとマークアウトが対で指定されると思われるので、本実施の形態と同じ動作が行われる。しかし、マークインのボタンとマークアウトのボタンが異なる場合には、マークインが連続して、あるいは、マークアウトが連続して指定される場合が考えられる。このような場合には、いずれも、後から指定された操作を有効にすればよい。そのようにすれば、カットの決定のし直しや、カットの範囲の決定のし直しを簡単に行うことができる。
【００６６】
また、ＮＧボタン８７により指示されるそのカット廃棄処理において、そのＮＧボタン８７を押下するタイミング、作用するカットなどは、任意に決めてよい。本実施の形態のように、次のカットの開始た指示されるまでは、いつＮＧボタン８７を押下しても前のカットに対してそのＮＧ処理が有効になるようにしてもよく、また、そのカットの終了前にのみ、そのカットを無効にするＮＧ処理が有効になるような設定にしてもよい。
【００６７】
また、ＲＥＣボタン８５、マークイン／アウトボタン８６、および、ＮＧボタン８７の各ボタンの配置なども任意の配置でよい。
【００６８】
また、インデックス画像の構成などは、任意の方法でよい。インデックス画像を構成する縮小画像は、元の映像データを縦横各々１／８、すなわち、面積を１／６４に縮小した画像なので、１枚のフレームに６４個の画像を格納することができる。しかし、後にこのフレームメモリに形成されら画像を再びＤＣＴすることを考慮すれば、あまり細かい画像は画質が落ちる恐れがあるので、１枚のフレームに収容する縮小画像の数を少なくした方が好ましい。たとえば、１枚のフレームを１／６４に区切った領域の１つおきに、その縮小画像を配置するようにしてもよい。そのようにしても、前述したインデックス画像生成部７０のフレームメモリ７７は７フレーム分の容量を有するので、全部で２２４（＝３２×７）個の画像を格納できる。
もちろん、そのフレームメモリ７７の容量も、デジタルカムコーダ１の使用方法などに応じて、適宜変更してよい。
【００６９】
また、ビデオデータを記録する際の圧縮方法も８×８ＤＣＴに限らず、任意の方法でよい。
また、インデックス画像生成部で行う縮小画像を抽出方法も任意に変更してよい。逆ＤＣＴなどを行って圧縮された画像を復元するようにしてもよいし、圧縮前の元の入力映像データを間引いて縮小画像を生成するようにしてもよい。
【００７０】
【発明の効果】
本発明のビデオデータ記録装置によれば、カセットに半導体メモリが設けられたテープ状記録媒体に適切にカット決めを行いながら、その半導体メモリを有効に使用して編集が効率的に行えるようにビデオデータを記録することができる。
【図面の簡単な説明】
【図１】本発明の一実施の形態のデジタルカムコーダの構成を示すブロック図である。
【図２】本発明の記録媒体に係わり、図１に示したデジタルカムコーダによりビデオデータが記録されるビデオカセットテープの外観図であり、（Ａ）はビデオカセットテープを裏面から見た図、（Ｂ）は背面図、（Ｃ）は側面図である。
【図３】図１に示したデジタルカムコーダの操作／表示部を説明するために、レンズ部の装着されていないデジタルカムコーダを前面から見た図である。
【図４】図１に示したデジタルカムコーダの操作／表示部を説明するために、ズームレンズの装着されているデジタルカムコーダの先頭部を側面から見た図である。
【図５】図１に示したデジタルカムコーダにより、ビデオカセットテープの半導体メモリに記録されるデータパックの構成を示す図であり、（Ａ）はカットのマークイン点およびマークアウト点の位置を示すデータパックの構成を示す図、（Ｂ）はインデックス画像の位置を示すデータパックの構成を示す図である。
【図６】図１に示したデジタルカムコーダのインデックス画像生成部におけるインデックス画像の生成方法を説明する図である。
【図７】図１に示したデジタルカムコーダの動作を説明する図である。
【符号の説明】
１…デジタルカムコーダ
２…本体
３…ズームレンズ
１０…カメラ部
１１…ＣＣＤ                  １２…カメラ処理部
１３…制御部
２１…フィルタ部                ２２…ブロック分割部
３０…圧縮部
３１…ＤＣＴ部                ３２…動き検出部
３３…並べ替え部              ３４…量子化部
３５…符号量推定部
４０…可変長符号化部
５０…誤り訂正符号付与部
５１…シャッフリング部        ５２…エラー訂正符号付与部
６０…記録部
６１…チャネルコーディング部  ６２…記録アンプ
６３…記録ヘッド
７０…インデックス画像生成部
７１…制御部                  ７２…サンプリング部
【図１】
0003772374.tif 000003
【図２】
0003772374.tif 000004
【図３】
0003772374.tif 000005
【図４】
0003772374.tif 000006
【図５】
0003772374.tif 000007
【図６】
0003772374.tif 000008
【図７】
0003772374.tif 000009